(57)【要約】【課題】  直感的な操作で、具体的な表示寸法を指定することができる表示装置、画像形成装置、表示方法、表示プログラム、およびコンピュータ読み取り可能な記録媒体を提供する。【解決手段】  タッチパネル１１と表示部１２とを備える表示装置１に、画像データを記憶する記憶部１３と、寸法設定キー１０３を含む寸法設定画面１０１を表示部１２に表示させるとともに、選択画像１０５を含む選択画像表示画面１０２を表示部１２に表示させる表示制御部１４と、寸法設定キー１０３に対応するタッチ入力に応じて出力される第１の信号に基づいて表示寸法を決定するとともに、選択画像表示画面１０２に対応するタッチ入力に応じて出力される第２の信号に基づいて表示位置を決定し、決定した表示寸法および表示位置で選択画像１０５を表示させるように表示制御部１４に指示する指示部１５と、を設ける。【選択図】      図１
2012037737.tif 000002
【特許請求の範囲】
【請求項１】
タッチパネルと、該タッチパネルに対向し、画像を表示する表示部とを備え、該画像の各部分に対応する前記タッチパネルの各箇所に触れるタッチ入力に応じて、該タッチパネルから各信号が出力される表示装置において、
寸法設定キーを含む寸法設定画面を前記表示部に表示させるとともに、記憶部に記憶される画像データに基づく画像を含む画像表示画面を前記表示部に表示させる表示制御部と、
前記信号が入力される指示部であって、前記画像データに基づく画像の表示寸法および表示位置を決定し、決定した前記表示寸法および前記表示位置で前記画像データに基づく画像を表示させるように前記表示制御部に指示する指示部とを備え、
前記表示制御部は、前記表示寸法および前記表示位置についての初期設定と、前記表示寸法および前記表示位置についての前記指示部からの指示とのいずれか一方に従って、前記画像データに基づく画像を前記表示部に表示させる制御を行い、
前記指示部は、
前記寸法設定キーに対応するタッチ入力に応じて出力される第１の信号に基づいて、前記表示寸法を決定するとともに、
前記画像表示画面に対応するタッチ入力に応じて出力される第２の信号に基づいて、前記表示位置を決定することを特徴とする表示装置。
【請求項２】
前記指示部は、前記第１の信号が入力されないときには、前記表示制御部に対して、前記初期設定に従うように指示し、
前記表示制御部は、前記初期設定に従うように前記指示部から指示されたときは、該初期設定に従う表示寸法で、前記画像データに基づく画像を前記表示部に表示させる制御を行うことを特徴とする請求項１に記載の表示装置。
【請求項３】
前記指示部は、前記画像表示画面中の前記画像データに基づく画像に対応するタッチ入力に応じる第３の信号が入力された時と同時、または第３の信号が入力された時から所定時間内に、前記第１の信号が入力された場合は、前記画像データに基づく画像中の前記第３の信号に対応する部分が前記画像表示画面の中央に位置するように、前記表示位置を決定することを特徴とする請求項１または２に記載の表示装置。
【請求項４】
請求項１〜３のいずれか１つに記載の表示装置を備えることを特徴とする画像形成装置。
【請求項５】
タッチパネルと、該タッチパネルに対向し、画像を表示する表示部とを備え、該画像の各部分に対応する前記タッチパネルの各箇所に対するタッチ入力に応じて、該タッチパネルから各信号が出力される表示装置における表示方法であって、
寸法設定キーを含む寸法設定画面を前記表示部に表示させるとともに、画像データに基づく画像を含む画像表示画面を前記表示部に表示させ、
前記寸法設定キーに対応する箇所に対するタッチ入力に応じて出力される第１の信号に基づいて前記画像データに基づく画像の表示寸法を決定するとともに、前記画像表示画面に対応する箇所に対するタッチ入力に応じて出力される第２の信号に基づいて該画像の表示位置を決定し、
前記表示寸法および前記表示位置について予め定められる１つの指示に従う前記表示寸法および前記表示位置、または前記第１の信号および前記第２の信号に基づいて決定された前記表示寸法および前記表示位置で、前記画像データに基づく画像を前記表示部に表示させることを特徴とする表示方法。
【請求項６】
請求項１〜３のいずれか１つに記載の表示装置を制御するためのプログラムであって、コンピュータを表示装置の表示制御部および指示部として機能させることを特徴とする表示プログラム。
【請求項７】
請求項６に記載の表示プログラムを記録したことを特徴とするコンピュータ読み取り可能な記録媒体。
【発明の詳細な説明】
【技術分野】
【０００１】
本発明は、表示装置、画像形成装置、表示方法、表示プログラム、およびコンピュータ読み取り可能な記録媒体に関する。
【背景技術】
【０００２】
近年、携帯電話機やデジタルフォトフレームなどの分野において、画像を表示する表示装置として、タッチパネルと表示部とが一体として構成される、いわゆるタッチ入力方式の表示装置が利用されている。タッチ入力方式の表示装置は、複写機や複合機などの画像形成装置の分野においても、画像の印刷や送信の前にプレビュー画面を表示するための表示装置として利用されている。
【０００３】
タッチ入力方式は、表示部とは別体として設けられるボタンにより操作する従来方式よりも、直感的な操作を可能にする。特許文献１には、表示部に表示される画像を、タッチパネルに対する操作によって、拡大表示または縮小表示させる技術が記載されている。
【先行技術文献】
【特許文献】
【０００４】
【特許文献１】特開２００８−７０９６８号公報
【発明の概要】
【発明が解決しようとする課題】
【０００５】
特許文献１に記載の技術は、タッチパネルに接触した２本の指によって指定される２点間の距離が変化したときに、変化前の２点間の距離に対する変化後の２点間の距離の変化率に基づいて、画像を拡大表示または縮小表示させる技術である。これによって、拡大率や縮小率などの数値を従来のボタンなどで入力することなく、直感的な操作で、画像の拡大または縮小を行うことができる。しかしながら、特許文献１に記載の技術には、拡大または縮小後の具体的な表示寸法を指定することができないという課題がある。
【０００６】
本発明は、上述した課題を解決するためのものであり、直感的な操作で、具体的な表示寸法を指定することができる表示装置、画像形成装置、表示方法、表示プログラム、およびコンピュータ読み取り可能な記録媒体を提供することを目的とする。
【課題を解決するための手段】
【０００７】
本発明は、タッチパネルと、該タッチパネルに対向し、画像を表示する表示部とを備え、該画像の各部分に対応する前記タッチパネルの各箇所に触れるタッチ入力に応じて、該タッチパネルから各信号が出力される表示装置において、
寸法設定キーを含む寸法設定画面を前記表示部に表示させるとともに、記憶部に記憶される画像データに基づく画像を含む画像表示画面を前記表示部に表示させる表示制御部と、
前記信号が入力される指示部であって、前記画像データに基づく画像の表示寸法および表示位置を決定し、決定した前記表示寸法および前記表示位置で前記画像データに基づく画像を表示させるように前記表示制御部に指示する指示部とを備え、
前記表示制御部が、前記表示寸法および前記表示位置についての初期設定と、前記表示寸法および前記表示位置についての前記指示部からの指示とのいずれか一方に従って、前記画像データに基づく画像を前記表示部に表示させる制御を行い、
前記指示部が、
前記寸法設定キーに対応するタッチ入力に応じて出力される第１の信号に基づいて、前記表示寸法を決定するとともに、
前記画像表示画面に対応するタッチ入力に応じて出力される第２の信号に基づいて、前記表示位置を決定することを特徴とする表示装置である。
【０００８】
また本発明は、前記指示部が、前記第１の信号が入力されないときには、前記表示制御部に対して、前記初期設定に従うように指示し、
前記表示制御部が、前記初期設定に従うように前記指示部から指示されたときは、該初期設定に従う表示寸法で、前記画像データに基づく画像を前記表示部に表示させる制御を行うことを特徴とする。
【０００９】
また本発明は、前記指示部が、前記画像表示画面中の前記画像データに基づく画像に対応するタッチ入力に応じる第３の信号が入力された時と同時、または第３の信号が入力された時から所定時間内に、前記第１の信号が入力された場合は、前記画像データに基づく画像中の前記第３の信号に対応する部分が前記画像表示画面の中央に位置するように、前記表示位置を決定することを特徴とする。
【００１０】
また本発明は、上記表示装置を備えることを特徴とする画像形成装置である。
また本発明は、タッチパネルと、該タッチパネルに対向し、画像を表示する表示部とを備え、該画像の各部分に対応する前記タッチパネルの各箇所に対するタッチ入力に応じて、該タッチパネルから各信号が出力される表示装置における表示方法であって、
寸法設定キーを含む寸法設定画面を前記表示部に表示させるとともに、画像データに基づく画像を含む画像表示画面を前記表示部に表示させ、
前記寸法設定キーに対応する箇所に対するタッチ入力に応じて出力される第１の信号に基づいて前記画像データに基づく画像の表示寸法を決定するとともに、前記画像表示画面に対応する箇所に対するタッチ入力に応じて出力される第２の信号に基づいて該画像の表示位置を決定し、
前記表示寸法および前記表示位置について予め定められる１つの指示に従う前記表示寸法および前記表示位置、または前記第１の信号および前記第２の信号に基づいて決定された前記表示寸法および前記表示位置で、前記画像データに基づく画像を前記表示部に表示させることを特徴とする表示方法である。
【００１１】
また本発明は、上記表示装置を制御するためのプログラムであって、コンピュータを表示装置の表示制御部および指示部として機能させることを特徴とする表示プログラムである。
【００１２】
また本発明は、上記表示プログラムを記録したことを特徴とするコンピュータ読み取り可能な記録媒体である。
【発明の効果】
【００１３】
本発明によれば、タッチパネル方式の表示装置において、表示制御部により、寸法設定キーを含む寸法設定画面が表示部に表示される。ユーザは、表示部に対向するタッチパネルをタッチすることで表示されている画像を操作することができ、このユーザの操作に基づいて指示部は表示寸法を決定し、表示制御部は指示部が決定した表示寸法で、表示部に画像を表示させる。すなわち、ユーザは、寸法設定キーに対向するタッチパネル上の箇所に対してタッチ入力することで、画像の表示寸法の変更を行うことができる。このように、本発明によって、直感的な操作で具体的な表示寸法を指定できる表示装置を提供することができる。
【００１４】
また本発明によれば、寸法設定キーに対向するタッチパネル上の箇所へのタッチ入力を行わないことで、表示寸法を調節する操作を行うことなく、初期設定に従う表示寸法で、画像を表示させることができる。
【００１５】
また本発明によれば、より操作性の高い表示装置を提供することができる。
また本発明によれば、上記表示装置によって直感的な操作で具体的な表示寸法を指定できる画像形成装置を提供することができる。
【００１６】
また本発明によれば、寸法設定キーに対向するタッチパネル上の箇所に対する操作で表示寸法の変更を行うことができるので、直感的な操作で具体的な表示寸法を指定できる表示方法を提供することができる。
【００１７】
また本発明によれば、上記表示装置を制御するためのプログラムであって、コンピュータを表示装置の表示制御部および指示部として機能させる表示プログラムを提供することができる。
【００１８】
また本発明によれば、上記表示プログラムを記録したコンピュータ読み取り可能な記録媒体を提供することができる。
【図面の簡単な説明】
【００１９】
【図１】本発明の一実施形態の表示装置１の構成を示す図である。
【図２】寸法設定画面１０１および選択画像表示画面１０２を示す図である。
【図３】表示処理を説明するためのフローチャートである。
【図４】本発明の他の実施形態を表す図である。
【図５】本発明の他の実施形態を表す図である。
【図６】複合機１０の構成を示す図である。
【発明を実施するための形態】
【００２０】
以下に、本発明の実施形態である表示装置１について説明する。図１は、本発明の一実施形態の表示装置１の構成を示す図である。表示装置１は、タッチパネル１１と、表示部１２と、記憶部１３と、表示制御部１４と、指示部１５とを含む。表示装置１は、たとえば、後述する複合機１０や、携帯電話機、デジタルフォトフレームなどに備えられる。
【００２１】
表示部１２は、タッチパネル１１に対向し、該タッチパネル１１と一体として設けられる。表示部１２は、たとえば液晶ディスプレイによって構成され、後に詳述する図２に示す寸法設定画面１０１および選択画像表示画面１０２を表示する。
【００２２】
図２（ａ）は、初期設定に従うときの寸法設定画面１０１および選択画像表示画面１０２を示している。初期設定については後述する。図２（ａ）に示すように、寸法（倍率）設定画面１０１は寸法設定キー１０３を含み、選択画像表示画面１０２は選択画像１０５を含んでいる。選択画像１０５は、たとえば、ユーザが表示装置１を操作することにより、または、携帯電話機やパーソナルコンピュータなどの他の装置が表示装置１に画像を送信することにより、表示部１２に表示する画像として選択された画像である。
【００２３】
タッチパネル１１は、タッチ入力に応じて電気信号を出力する。具体的には、タッチパネル１１は、表示部１２が表示する画像の各部分に対応する該タッチパネル１１上の各箇所が押圧されるか、または、押圧状態が解除されると、各電気信号を出力する。タッチパネル１１によって出力される電気信号は、タッチパネル１１上におけるタッチ入力された箇所に対応する電気信号であり、指示部１５に入力される。タッチパネル１１は、少なくとも、該タッチパネル１１上の異なる２箇所において同時にタッチ入力を感知できるように構成されており、そのようなタッチパネル１１としては、投影型静電容量方式のタッチパネル、抵抗膜方式のタッチパネルなどが挙げられる。
【００２４】
記憶部１３は、ＤＤＲ  ＳＤＲＡＭ（Double Data Rate Synchronous Dynamic Random Access Memory）などの揮発性メモリ、およびＨＤＤ（Hard Disk Drive）などの不揮発性メモリである。記憶部１３には、表示部１２に表示される選択画像１０５の基となる画像データ（以下、「原寸画像データ」と称する）が記憶される。
【００２５】
表示制御部１４は、寸法設定画面１０１を表示部１２に表示させるとともに、記憶部１３に記憶される原寸画像データに基づいて、選択画像１０５を含む選択画像表示画面１０２を表示部１２に表示させる機能を有する。表示制御部１４は、後述する初期設定と、後述する指示部１５からの表示寸法および表示位置についての指示とのいずれかに従って、選択画像１０５を表示部１２に表示させる。
【００２６】
ここで、原寸画像データに基づいて表示部１２に表示される選択画像１０５は、原寸画像の全体もしくはその一部の画像、拡大画像の全体もしくはその一部の画像、または縮小画像の全体もしくはその一部の画像である。原寸画像は、原寸画像データを構成する画素データと１対１に対応する画素から構成される画像である。拡大画像は、原寸画像データに従来公知の補間処理（たとえば、ニアレストネイバー法、バイリニア法、バイキュービック法など）を施すことで原寸画像データよりも画素データ数が増加した拡大画像データを構成する画素データと１対１に対応する画素から構成される画像である。縮小画像は、原寸画像データに従来公知の上記補間処理を施すことで原寸画像データよりも画素データ数が減少した縮小画像データを構成する画素データと１対１に対応する画素から構成される画像である。
【００２７】
また、初期設定とは、選択画像１０５の表示寸法および表示位置についての予め定める１つの指示である。本実施形態において、初期設定では原寸画像全体が選択画像表示画面１０２の中央に表示されるように設定されている。また、初期設定では、画像全体が選択画像表示画面１０２内に収まるように縮小された画像（縮小画像）が表示されるように設定されている。なお、表示装置としてサイズの大きいものを使用し、原寸画像全体が選択画像表示画面１０２に収まる場合は、縮小せずに原寸画像全体が選択画像表示画面１０２に表示される。
【００２８】
指示部１５は、表示部１２に表示される選択画像１０５についての表示寸法および表示位置を決定し、決定した表示寸法および表示位置で、表示部１２に選択画像１０５を表示させるように、表示制御部１４に指示する機能を有する。指示部１５は、寸法設定キー１０３に対向するタッチパネル１１上の箇所に対するタッチ入力に応じて出力される電気信号（以下、「第１の電気信号」と称する）に基づいて、表示寸法を決定するとともに、選択画像表示画面１０２に対向するタッチパネル１１上の箇所に対するタッチ入力に応じて出力される電気信号（以下、「第２の電気信号」と称する）に基づいて、表示位置を決定する。
【００２９】
本実施形態では、表示制御部１４および指示部１５は、ＣＰＵ（Central Processing 
Unit）、ＤＳＰ（Digital Signal Processor）などの制御演算装置、および記憶部１３に予め記憶される表示プログラムによって実現される。表示プログラムとは、制御演算装置が該表示プログラムに従って演算および制御を行うことで表示制御部１４および指示部１５の上記機能が発揮されることになるプログラムである。なお、本発明の他の実施形態としては、記憶部１３に表示プログラムが記憶される代わりに、表示制御部１４および指示部１５が上記機能を有するそれぞれ独立した電子回路で構成されてもよい。
【００３０】
このように構成される表示装置１が実行する表示処理について、図３を用いて説明する。図３は、表示処理を説明するためのフローチャートである。
【００３１】
ステップＳ１では、表示装置１は、図２（ａ）に示す寸法設定キー１０３を含む寸法設定画面１０１と初期設定に従う選択画像１０５を含む選択画像表示画面１０２とを表示する。ここで、本実施形態では、指示部１５は、第１の電気信号が入力されないときには、表示制御部１４に対して、初期設定に従うように指示するように構成されている。また、表示制御部１４は、初期設定に従うように指示部１５から指示されたときは、該初期設定に従って選択画像１０５を表示部１２に表示させるように構成されている。ステップＳ１以前では寸法設定キー１０３が表示されていないので、指示部１５に第１の電気信号が入力されることはなく、その結果、初期設定における選択画像１０５が表示される。
【００３２】
ステップＳ２では、表示装置１は、ユーザからの指示を確認する。具体的には、指示部１５が、寸法設定画面１０１および選択画像表示画面１０２に対向するタッチパネル１１上の箇所へのタッチ入力に応じた電気信号が入力されたか否かを確認する。寸法設定画面１０１に対向するタッチパネル１１上の箇所へのタッチ入力に応じる第１の電気信号は、表示寸法についての指示に対応しており、選択画像表示画面１０２に対向するタッチパネル１１上の箇所へのタッチ入力に応じる第２の電気信号は、表示位置についての指示に対応している。
【００３３】
表示装置１は、ステップＳ３において、ステップＳ２における確認の結果、表示寸法または表示位置についての指示が有れば、ステップＳ４へ処理を進める。指示が無ければステップＳ２へ処理を戻す。
【００３４】
表示装置１は、ステップＳ４において、ユーザによる指示が表示寸法についての指示であればステップＳ５へ処理を進める。表示寸法についての指示でなければ、すなわち、表示位置についての指示であれば、ステップＳ６へ処理を進める。
【００３５】
表示装置１は、ステップＳ５において、表示寸法についての指示が初期設定に従う表示寸法に戻す指示であればステップＳ８へ処理を進める。表示寸法を変更する指示が初期設定に従う表示寸法に戻す指示でなければ、すなわち、初期設定に従う表示寸法よりも大きい表示寸法または小さい表示寸法にする指示であればステップＳ７へ処理を進める。
【００３６】
ステップＳ８では、表示装置１は、選択画像１０５を、初期設定に従う表示寸法で表示する。たとえば、寸法設定画面１０１に対向するタッチパネル１１上の箇所への押圧が解除されたとき、選択画像１０５の表示寸法は、初期設定に従う表示寸法に戻る。
【００３７】
ステップＳ７では、表示装置１は、ユーザによる表示寸法についての指示に従う表示寸法で選択画像１０５を表示する。この指示は、初期設定に従う表示寸法で表示される選択画像１０５を拡大または縮小させる指示である。
【００３８】
ステップＳ６では、表示装置１は、ユーザによる表示位置についての指示に従う表示位置で、選択画像１０５を表示する。
【００３９】
表示装置１は、ステップＳ６、ステップＳ７、およびステップＳ８のいずれかの処理が終了すると、処理をステップＳ２へ戻す。このように処理を繰り返すことで、選択画像１０５について、表示寸法および表示位置を変更することができる。
【００４０】
図２を用いて、表示装置１の具体的な態様について説明する。図２は、寸法設定画面１０１および選択画像表示画面１０２を示す図である。上述したように、図２（ａ）は、初期設定に従うときの寸法設定画面１０１および選択画像表示画面１０２を示している。すなわち、図２（ａ）に示す選択画像１０５は、原寸画像の全体であり、画像の一部分ではない。
【００４１】
寸法設定画面１０１には、寸法設定キー１０３と目盛１０４とが表示されている。目盛１０４は２５％〜４００％までの表示倍率が付してあり、寸法設定キー１０３内には、目盛１０４上の位置に対応して、表示倍率が表示される。図２（ａ）に示す状態では、寸法設定キー１０３内には１００％（初期設定の設定値）が表示されている。ユーザは、寸法設定キー１０３に対向するタッチパネル１１上の箇所を指などで押圧し、押圧したまま、目盛１０４に沿って指をスライドさせることで、選択画像１０５についての表示寸法を変更することができる。
【００４２】
図２（ｂ）は、図２（ａ）に示す状態から表示寸法を変更した後の状態を示している。具体的には、図２（ｂ）に示す状態は、図２（ａ）に示す状態から、寸法設定キー１０３に対向するタッチパネル１１上の箇所を指で押圧し、押圧したまま、目盛１０４に沿って、目盛１０４上の表示倍率が１５０％となる位置に対向するタッチパネル１１上の箇所まで指をスライドさせ、その箇所でタッチパネル１１を押圧し続けている状態である。
【００４３】
図２（ｂ）に示す状態では、寸法設定キー１０３内には１５０％が表示されている。そして、選択画像表示画面１０２内には、図２（ａ）に示す選択画像１０５（以下、「１００％画像」と称する）の縦および横の長さを１．５倍に拡大して得られる、図２（ｂ）に示す選択画像１０５（以下、「１５０％画像」と称する）が表示されている。
【００４４】
このように、本発明では、寸法設定キー１０３に対向するタッチパネル１１上の箇所に対する操作で表示寸法の変更を行うことができるので、直感的な操作で、具体的な表示寸法を指定することができる。
【００４５】
なお、図２（ａ）に示す状態と図２（ｂ）に示す状態とでは、表示位置は変更されていない。すなわち、１００％画像の中央部に対応する１５０％画像の中央部は、同じ位置にある。このように、本実施形態では、寸法設定画面１０１に対向するタッチパネル１１上の箇所に対してのみタッチ入力を行うことで、選択画像１０５の中央部が固定された状態で拡大処理または縮小処理が行われる。
【００４６】
また、ユーザは、選択画像表示画面１０２上において、タッチパネル１１を、指で押圧したまま指をスライドさせることで、選択画像１０５についての表示位置を変更することができる。図２（ｃ）は、図２（ｂ）に示す状態から表示位置を変更した後の状態を示している。具体的には、図２（ｃ）に示す状態は、図２（ｂ）に示す状態において、図２（ｂ）に示す点Ａから点Ｂへ向けて、タッチパネル１１を指で押圧したまま指をスライドさせた後、タッチパネル１１から指を離した状態である。なお、目盛１０４上の表示倍率が１５０％となる位置にある寸法設定キー１０３に対向するタッチパネル１１の箇所は、押圧され続けているとする。
【００４７】
図２（ｃ）に示す選択画像１０５において、１５０％画像の中央部Ｃに対応する部分Ｄの座標は、図２（ｂ）に示す点Ａから点Ｂに向かうベクトルに対応して、中央部Ｃの座標から変化している。すなわち、点Ａの座標を（Ｘａ，Ｙａ）とし、点Ｂの座標を（Ｘｂ，Ｙｂ）とし、中央部Ｃの座標を（Ｘｃ，Ｙｃ）とし、部分Ｄの座標を（Ｘｄ，Ｙｄ）とするとき、本実施形態では、下記式が成立する。
（Ｘｄ，Ｙｄ）＝（Ｘｃ＋Ｘｂ−Ｘａ，Ｙｃ＋Ｙｂ−Ｙａ）
【００４８】
なお、この式によって算出される部分Ｄの座標が選択画像表示画面１０２よりも外側を示す座標になる場合には、算出された座標の代わりに、選択画像表示画面１０２内において該座標に最も近い座標を、部分Ｄの座標に設定するように、指示部１５が構成されることが好ましい。
【００４９】
上述したように、図２（ｂ）または図２（ｃ）に示す状態では、目盛１０４上の表示倍率が１５０％となる位置にある寸法設定キー１０３に対向するタッチパネル１１上の箇所は、押圧され続けている。本実施形態では、この状態において押圧を解除すると、表示寸法は、初期設定に従う表示寸法に戻る。図２（ｄ）は、図２（ｃ）に示す状態から寸法設定キー１０３に対向するタッチパネル１１上の箇所の押圧を解除した状態を示している。
【００５０】
図２（ｄ）に示す状態では、選択画像１０５の表示寸法は、初期設定に従う表示寸法に戻っている。したがって、寸法設定キー１０３内に表示される表示倍率は、１００％になっている。なお、表示位置については、押圧が解除される前の状態が維持されている。ただし、表示位置についても、初期設定に従うように構成されてもよい。
【００５１】
このように、本実施形態は、寸法設定キー１０３に対向するタッチパネル１１上の箇所へのタッチ入力に応じて出力される第１の電気信号が指示部１５に入力されないときに、少なくとも表示寸法については、初期設定に従うように構成されている。これによって、表示寸法を調節する操作を行うことなく、初期設定における表示寸法で、選択画像１０５を表示させることができる。
【００５２】
本発明の他の実施形態としては、寸法設定キー１０３に対向するタッチパネル１１上の箇所の押圧が解除されても表示寸法が初期設定に戻らないように構成されていてもよい。たとえば、寸法設定キー１０３に対向するタッチパネル１１上の箇所を押圧して所定の表示寸法の選択画像１０５が表示されている状態で、選択画像表示画面１０２内の任意の２つ以上の点に対向するタッチパネル１１上の箇所が同時に押圧された場合には、その表示寸法が固定されるように、すなわち、寸法設定キー１０３に対向するタッチパネル１１上の箇所の押圧が解除されても表示寸法が初期設定に戻らないように、構成できる。
【００５３】
具体的には、寸法設定キー１０３に対向するタッチパネル１１上の箇所が押圧されている状態において、選択画像表示画面１０２内の任意の１点に対向するタッチパネル１１上の箇所が押圧され、その押圧の時点から所定時間（たとえば０．５秒）以内に、該１点に対して１０画素以上離れた他の点に対向するタッチパネル１１上の箇所が押圧された場合に（すなわち、選択画像表示画面１０２内の任意の２点に対向するタッチパネル１１上の２つの箇所がほぼ同時に押圧された場合に）、表示寸法が固定される。そして、表示寸法が固定されている状態では、表示位置の変更のみが可能になる。表示寸法が固定されている状態で、再度、選択画像表示画面１０２内の任意の２つ以上の点に対向するタッチパネル１１上の箇所が同時に押圧された場合、または、選択画像表示画面１０２内の任意の１点に対向するタッチパネル１１上の１つの箇所が押圧された時点から上記所定時間以内に選択画像表示画面１０２内の他の１点に対向するタッチパネル１１上の１つの箇所が押圧された場合には、表示寸法の固定が解除される。なお、寸法設定キー１０３内に表示されている表示倍率（寸法設定キー１０３）に対向するタッチパネル１１上の箇所が押圧されると、表示寸法の固定が解除されるようにしてもよい。
【００５４】
さらに、本発明の他の実施形態としては、以下の２つの実施形態を挙げることができる。図４および図５は、本発明の他の実施形態を表す図である。図４が表す実施形態では、選択画像表示画面１０２内の選択画像１０５に対応するタッチ入力に応じる電気信号（以下、「第３の電気信号」と称する）が入力された時と同時、またはその時から所定時間（たとえば２０秒）以内に、寸法設定キー１０３に対応するタッチ入力に応じる第１の電気信号が入力された場合には、選択画像１０５中の前記第３の電気信号に対応する部分が選択画像表示画面１０２の中央部に位置するように、指示部１５が表示位置を決定する。
【００５５】
たとえば、図４（ａ）に示す選択画像１０５（以下、「元画像」と称する）内の点Ｅに対応するタッチパネル１１上の箇所が押圧されている状態で、寸法設定キー１０３に対向するタッチパネル１１上の箇所を指で押圧し、押圧したまま、目盛１０４の表示倍率が大きい側へ、指をスライドさせた場合には、図４（ｂ）に示す選択画像１０５（以下、「変更後画像」と称する）が元画像の一部の画像を拡大した画像となるように表示寸法が決定され、かつ、元画像の点Ｅに対応する変更後画像の点Ｆが選択画像表示画面１０２の中央部に位置するように表示位置が決定される。
【００５６】
このように、選択画像１０５内の指定された点を中心として拡大処理または縮小処理を行うように表示装置１を構成することで、より操作性の高い表示装置を提供することができる。
【００５７】
図５が表す実施形態では、表示部１２に、複数の寸法設定キー２０３を含む寸法設定画面２０１と、選択画像２０５および２つのスクロールバー２０４を含む選択画像表示画面２０２とが表示される。この実施形態では、複数の寸法設定キー２０３のうちのいずれか１つに対向するタッチパネル１１上の箇所が押圧することで、選択画像２０５について、初期設定以外の表示寸法に変更することができる。そして、押圧を解除すれば、表示寸法は、初期設定に従う表示寸法に戻る。また、２つのスクロールバー２０４に対向するタッチパネル１１上の箇所を指で押圧し、押圧したまま指をスライドさせることで、選択画像２０５について表示位置を変更することができる。
【００５８】
次に、表示装置１を備える複合機１０について説明する。図６は、複合機１０の構成を示す図である。複合機１０は、画像入力装置２と画像処理装置３と画像出力装置４と表示装置１と通信装置５とを備え、コピア機能、プリンタ機能、およびファクシミリ通信機能を有している。画像処理装置３は、ＡＤ（アナログデジタル）変換部３１、シェーディング補正部３２、入力処理部３３、領域分離処理部３４、色補正部３５、黒生成下色除去部３６、空間フィルタ部３７、および中間調生成部３８を含む。なお、記憶部１３は、複合機１０に備えられるものであり、表示装置１および画像処理装置３に共有されている。記憶部１３は、複合機１０、画像処理装置３、表示装置１に個別に設けられてもよい。
【００５９】
画像入力装置２はＣＣＤ（Charge Coupled Device）ラインセンサを含み、原稿から反射してきた光をＲ、Ｇ、Ｂ（Ｒ：赤、Ｇ：緑、Ｂ：青）に色分解し、電気信号に変換する。画像入力装置２によって得られた電気信号は、ＲＧＢアナログ信号として、画像処理装置３のＡＤ変換部３１に入力される。
【００６０】
ＡＤ変換部３１は、画像入力装置２から入力されたＲＧＢアナログ信号を、ＲＧＢデジタル信号に変換する。そして、ＡＤ変換部３１は、変換によって得られたＲＧＢデジタル信号（画像データ）を、シェーディング補正部３２に出力する。
【００６１】
シェーディング補正部３２は、ＡＤ変換部３１から入力されたＲＧＢデジタル信号に対して、画像入力装置２の照明系、結像系、および撮像系で生じる各種の歪みを取り除く処理を行う。そして、シェーディング補正部３２は、処理後のＲＧＢデジタル信号を、入力処理部３３に出力する。
【００６２】
入力処理部３３は、シェーディング補正部３２から入力されたＲＧＢデジタル信号のそれぞれに対して、γ補正などの処理を行う。そして、入力処理部３３は、処理後のＲＧＢデジタル信号を、領域分離処理部３４に出力する。
【００６３】
領域分離処理部３４は、入力処理部３３から入力されたＲＧＢデジタル信号を用いて、画像を構成する各画素が属する領域（黒文字、色文字、網点、印画紙写真（連続階調領域）など）を判定し、判定結果を領域分離信号として、記憶部１３に出力する。また、領域分離処理部３４は、入力処理部３３から入力されたＲＧＢデジタル信号をそのまま記憶部１３に出力する。
【００６４】
記憶部１３は、領域分離処理部３４から入力されたＲＧＢデジタル信号および領域分離信号を記憶する。
【００６５】
表示装置１は、記憶部１３に記憶されたＲＧＢデジタル信号を用いて、選択画像１０５を表示部１２に表示する。複合機１０においては、複合機１０の図示しない操作部によってプレビュー機能が選択されたときに、画像の印刷またはファクシミリ送信におけるプレビュー画像として、選択画像１０５が表示される。ユーザは、タッチパネル１１に対するタッチ入力により、選択画像１０５についての表示寸法および表示位置を変更することができる。
【００６６】
複合機１０に備えられる場合、表示装置１は、印刷またはファクシミリ送信の設定条件を変更するための再設定キーを表示部１２に表示するように構成されてもよい。これによって、再設定後の画像を選択画像１０５として表示することが可能になる。ここで、再設定後の画像とは、再設定キーが選択され、印刷またはファクシミリ送信の設定条件が変更された後、変更内容が反映されて表示される画像である。たとえば、カラー印刷からモノクロ印刷へ設定条件が変更されることで表示されるモノクロ画像や、印刷濃度の設定条件が変更されることで表示される、全体的に色味が濃くなった画像などである。
【００６７】
このような表示装置１によれば、再設定後の画像についても、タッチパネル１１に対するタッチ入力により、表示寸法および表示位置を変更することができる。なお、再設定後タッチ入力前において、再設定後の画像は、選択画像１０５についての初期設定に従って表示されるものとする。
【００６８】
通信装置５は、電話回線またはインターネットに接続しており、記憶部１３に記憶されている画像データを、ファクシミリ通信によって、複合機１０以外の装置へ送信する。また、通信装置５は、ファクシミリ通信によって複合機１０以外の装置から画像データを受信する。複合機１０の図示しない操作部によって通信指示が入力されると、通信装置５によるファクシミリ通信が行われる。
【００６９】
複合機１０の図示しない操作部によって印刷指示が入力されると、記憶部１３に記憶されるＲＧＢデジタル信号および領域分離信号は、色補正部３５に入力される。領域分離信号は、黒生成下色除去部３６、空間フィルタ部３７、および中間調生成部３８にも入力される。
【００７０】
色補正部３５は、入力されたＲＧＢデジタル信号から、ＣＭＹ（Ｃ：シアン、Ｍ：マゼンタ、Ｙ：イエロー）信号を生成するとともに色再現性を高める処理を行う。そして、色補正部３５は、ＣＭＹ信号を黒生成下色除去部３６に出力する。
【００７１】
黒生成下色除去部３６は、入力されたＣＭＹ信号からＣＭＹＫ（Ｋ：黒）４色信号を生成する。そして、黒生成下色除去部３６は、生成したＣＭＹＫ４色信号を空間フィルタ部３７に出力する。
【００７２】
空間フィルタ部３７は、入力されたＣＭＹＫ４色信号に対して、強調化処理、平滑化処理などを行う。そして、空間フィルタ部３７は、処理後のＣＭＹＫ４色信号を、中間調生成部３８に出力する。
【００７３】
中間調生成部３８は、入力されたＣＭＹＫ４色信号に対して、階調再現処理を行う。そして、中間調生成部３８は、処理後のＣＭＹＫ４色信号を、画像出力装置４に出力する。
【００７４】
画像出力装置４は、電子写真方式プリンタ、インクジェット方式プリンタなどの、印刷装置である。画像出力装置４は、中間調生成部３８から入力されたＣＭＹＫ信号に基づいて、記録用紙などに画像を印刷する。
【００７５】
このような複合機１０は、さらに、ファイリングデータ管理部を有していてもよい。ファイリングデータ管理部は、記憶部１３に記憶された画像データを、ファイリングデータとして管理する。このとき、各画像データは、たとえば、ＪＰＥＧ（Joint Photographic Experts Group）圧縮アルゴリズムに基づいてＪＰＥＧコードに圧縮され、領域分離信号はＭＭＲ（Modified Modified Relative element address designate）によって符号化されて格納される。複合機１０の図示しない操作部から印刷指示が入力された場合は、記憶部１３からＪＰＥＧコード、符号化された領域分離信号が引き出され、図示しないＪＰＥＧ伸張部および領域分離信号復号部に引き渡され、復号化処理がなされて、ＲＧＢデジタル信号と領域分離信号とに変換される。なお、ファクシミリ通信によって画像データを送信する場合は、記憶部１３に記憶される上記ＪＰＥＧコードが送信される。
【００７６】
上記表示装置１の記憶部１３に記憶される表示プログラムは、タッチ入力に応じて信号を出力するタッチパネルと、該タッチパネルに対向して設けられ、画像を表示する表示部とを備えるコンピュータを、上記表示装置１として機能させるプログラムである。この表示プログラムは、従来公知の、コンピュータ読み取り可能な記録媒体に記録できる。
【００７７】
上記表示プログラムを記録媒体に記録することで、図３を用いて説明した表示処理を実行するためのプログラムコード（実行形式プログラム、中間コードプログラム、ソースプログラムなど）を記録した記録媒体を持ち運び自在に提供することができる。
【００７８】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００７９】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００８０】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto 
Optical disc）、ＭＤ（Mini Disc）、ＤＶＤ（Digital Versatile Disc）などの光ディスクのディスク系、ＩＣ（Integrated Circuit）カード（メモリカードを含む）、光カードなどのカード系、あるいはマスクＲＯＭ、ＥＰＲＯＭ（Erasable Programmable Read 
Only Memory）、ＥＥＰＲＯＭ（Electrically Erasable Programmable Read Only Memory）、フラッシュＲＯＭなどによる半導体メモリを含めた固定的にプログラムコードを担持する媒体であってもよい。
【００８１】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００８２】
１  表示装置
２  画像入力装置
３  画像処理装置
４  画像出力装置
５  通信装置
１０  複合機
１１  タッチパネル
１２  表示部
１３  記憶部
１４  表示制御部
１５  指示部
１０１，２０１  寸法設定画面
１０２，２０２  選択画像表示画面
１０３，２０３  寸法設定キー
１０４  目盛
１０５  選択画像
２０４  スクロールバー
【図１】
2012037737.tif 000003
【図２】
2012037737.tif 000004
【図３】
2012037737.tif 000005
【図４】
2012037737.tif 000006
【図５】
2012037737.tif 000007
【図６】
2012037737.tif 000008